(57)【要約】【課題】ロケーションエリア２１０にある全無線基地局３０１〜３０８にページング信号を送信するので、呼量が増加するとページング信号を含む無線リソースの輻輳が発生する。【解決手段】無線基地局３０１〜３０８の使用履歴を取得し、使用履歴のうちでデータ有効時点までに使用された無線基地局３０１〜３０４へページング信号を送信する。さらに、無線基地局３０１〜３０８の使用履歴を取得し、使用履歴から時間帯毎、曜日毎、週毎に使用された無線基地局３０１〜３０８の統計データを取り、ページング信号の送信時点における時間帯、曜日、週又はこれらの組み合わせに対応する統計データにある無線基地局３０１〜３０４へページング信号を送信する。【選択図】      図１
2004193950.tif 000002
【特許請求の範囲】
【請求項１】
無線端末と、前記無線端末に通信回線を介して接続する無線基地局と、前記無線基地局へページング信号を送信する無線基地局制御装置（ＲＮＣ）とを含んでなるページング信号の抑制システムであって、
前記ＲＮＣが、
前記無線基地局の使用履歴を取得し、前記使用履歴のうちでデータ有効時点までに使用された前記無線基地局へページング信号を送信することを特徴とするページング信号の抑制システム。
【請求項２】
無線端末と、前記無線端末に通信回線を介して接続する無線基地局と、前記無線基地局へページング信号を送信する無線基地局制御装置（ＲＮＣ）とを含んでなるページング信号の抑制システムであって、
前記ＲＮＣが、
前記無線基地局の使用履歴を取得し、前記使用履歴から時間帯毎、曜日毎、週毎に使用された前記無線基地局の統計データを取り、
前記ページング信号の送信時点における時間帯、曜日、週又はこれらの組み合わせに対応する前記統計データにある前記無線基地局へ前記ページング信号を送信することを特徴とするページング信号の抑制システム。
【請求項３】
移動体通信システムにおけるページング信号の抑制方法であって、
無線基地局の使用履歴を取得し、前記使用履歴のうちでデータ有効時点までに使用された前記無線基地局へページング信号を送信することを特徴とするページング信号の抑制方法。
【請求項４】
移動体通信システムにおけるページング信号の抑制方法であって、
無線基地局の使用履歴を取得し、前記使用履歴から時間帯毎、曜日毎、週毎に使用された前記無線基地局の統計データを取り、
前記ページング信号の送信時点における時間帯、曜日、週又はこれらの組み合わせに対応する前記統計データにある前記無線基地局へ前記ページング信号を送信することを特徴とするページング信号の抑制方法。
【請求項５】
移動体通信システムにおけるページング信号の抑制方法であって、
無線基地局の使用履歴で加入者が利用する無線端末の位置予想する位置予想ステップと、
前記位置予想ステップで位置予想された前記無線基地局の番号へ前記ページング信号を送信するページング信号送信ステップと、
を備えることを特徴とするページング信号の抑制方法。
【請求項６】
前記位置予想ステップが、
位置登録／発信／ハンドオフ成功／着信／切断時に使用された前記無線基地局の使用履歴を取得する取得ステップと、
使用された前記無線基地局を特定する特定ステップと、
前記加入者毎に存在する無線基地局セーブエリアを算出する算出ステップと、
使用した前記無線基地局の番号を含むデータを前記無線基地局セーブエリアに格納する際に同一の前記無線基地局の番号が既に格納済であるか否かを判断する格納判断ステップと、
同一の前記無線基地局の番号がある場合は格納しないで、既に格納してある同一の前記無線基地局を使用した時間を更新する更新ステップと、
同一の前記無線基地局の番号がない場合は新しいデータを格納すると前記無線基地局セーブエリアがオーバーフローするか否かを判断するオーバーフロー判断ステップと、
オーバーフローする場合は、時間的に最も古いデータを削除して前記無線基地局の番号を含むデータを前記無線基地局セーブエリアに格納する第１格納ステップと、
オーバーフローしない場合は、前記無線基地局の番号を含むデータを前記無線基地局セーブエリアに格納する第２格納ステップと、
を備え、
前記ページング信号送信ステップが、
前記ページング信号の送信時に前記無線基地局セーブエリアを算出する算出ステップと、
格納されているデータに対してデータ有効時点を用いて有効か無効かを判断する有効判断ステップと、
有効であれば格納されている前記無線基地局を前記ページング信号の送信対象として選定する第１選定ステップと、
無効であればロケーションエリア配下の前記無線基地局を前記ページング信号の送信対象として選定する第２選定ステップと、
前記ページング信号の送信対象として選定された前記無線基地局へ前記ページング信号を送信する送信ステップと、
を備えることを特徴とする請求項５に記載のページング信号の抑制方法。
【請求項７】
前記特定ステップが、
使用した前記無線基地局を特定し、前記無線基地局の使用履歴を時間帯毎、曜日毎、週毎に統計データを取り、
前記第１選定ステップが、
有効であれば前記ページング信号の送信時点における時間帯、曜日、週又はこれらの組み合わせに対応する前記統計データにある前記無線基地局を前記ページング信号の送信対象にする
ことを特徴とする請求項６に記載のページング信号の抑制方法。
【請求項８】
移動体通信システムにおけるページング信号を送信する無線基地局制御装置（ＲＮＣ）のコンピュータに、
無線基地局の使用履歴で加入者が利用する無線端末の位置予想する位置予想ステップと、
前記位置予想ステップで位置予想された前記無線基地局へ前記ページング信号を送信するページング信号送信ステップと、
を実行させるためのページング信号の抑制プログラム。
【請求項９】
前記位置予想ステップが、
位置登録／発信／ハンドオフ成功／着信／切断時に使用された前記無線基地局の使用履歴を取得する取得ステップと、
使用された前記無線基地局を特定する特定ステップと、
前記加入者毎に存在する無線基地局セーブエリアを算出する算出ステップと、
使用した前記無線基地局の番号を含むデータを前記無線基地局セーブエリアに格納する際に同一の前記無線基地局の番号が既に格納済であるか否かを判断する格納判断ステップと、
同一の前記無線基地局の番号がある場合は格納しないで、既に格納してある同一の前記無線基地局を使用した時間を更新する更新ステップと、
同一の前記無線基地局の番号がない場合は新しいデータを格納すると前記無線基地局セーブエリアがオーバーフローするか否かを判断するオーバーフロー判断ステップと、
オーバーフローする場合は、時間的に最も古いデータを削除して前記無線基地局の番号を含むデータを前記無線基地局セーブエリアに格納する第１格納ステップと、
オーバーフローしない場合は、前記無線基地局の番号を含むデータを前記無線基地局セーブエリアに格納する第２格納ステップと、
を備え、
前記ページング信号送信ステップが、
前記ページング信号の送信時に前記無線基地局セーブエリアを算出する算出ステップと、
格納されているデータに対してデータ有効時点を用いて有効か無効かを判断する有効判断ステップと、
有効であれば格納されている前記無線基地局を前記ページング信号の送信対象として選定する第１選定ステップと、
無効であればロケーションエリア配下の前記無線基地局を前記ページング信号の送信対象として選定する第２選定ステップと、
前記ページング信号の送信対象として選定された前記無線基地局へ前記ページング信号を送信する送信ステップと、
を備えることを特徴とする請求項８に記載のページング信号の抑制プログラム。
【請求項１０】
前記特定ステップが、
使用した前記無線基地局を特定し、前記無線基地局の使用履歴を時間帯毎、曜日毎、週毎に統計データを取り、
前記第１選定ステップが、
有効であれば前記ページング信号の送信時点における時間帯、曜日、週又はこれらの組み合わせに対応する前記統計データにある前記無線基地局を前記ページング信号の送信対象にする
ことを特徴とする請求項９に記載のページング信号の抑制プログラム。
【発明の詳細な説明】
【０００１】
【発明の属する技術分野】
本発明は、移動体通信システムに関し、特にページング信号の抑制システム、抑制方法及びプログラムに関する。
【０００２】
【従来の技術】
移動体通信システムにおいて、常にページング信号（Ｐａｇｉｎｇ信号）の負荷が問題になるが、通常ロケーションエリア（Ｌｏｃａｔｉｏｎ  Ａｒｅａ：ＬＡ）として複数の無線基地局をグループ化し、このグループ単位でページング信号を送信するようにしている。しかし、１ＬＡ内の無線基地局数もそれほど少なくないので、負荷の高い無線基地局を含んでいるＬＡ内ではページング信号の輻輳が発生する。
【０００３】
図７は、従来例による移動体通信システムの構成を示すブロック図である。ＲＮＣ（無線基地局制御装置）１００と、無線基地局３０１〜３０８で成るロケーションエリア（ＬＡ）２１０、無線基地局３０９〜３１６で成るロケーションエリア（ＬＡ）２２０、加入者が利用する無線端末４００とを含んで構成される。ＲＮＣ１００は、ＬＡ２１０にある全無線基地局３０１〜３０８（又は、ＬＡ２２０にある全無線基地局３０９〜３１６）にページング信号を送信する。
【０００４】
【特許文献１】
特表平１０−５０２２２９号公報（請求項１、図１、図４）
【０００５】
【発明が解決しようとする課題】
以上説明した従来例では、呼量が増加すると必然的にページング信号を含む無線リソースの輻輳とＲＮＣ１００（交換機を含む）自身の輻輳が発生する。その中でページング信号送信処理における比重が高い。
【０００６】
無線リソースの増設はハードウエアの増設が必要となるため、多大なコストがかかってしまう。また、ページング信号を全無線基地局に送信することで応答が返ってくる確率がかなり高くなるが、ＲＮＣ１００自身の処理を圧迫してしまう。この様な背景より、品質を落さずにページング信号の送信を抑制する（減らす）方法を考える必要があった。
【０００７】
【課題を解決するための手段】
本発明のページング信号の抑制システムは、無線端末と、前記無線端末に通信回線を介して接続する無線基地局と、前記無線基地局へページング信号を送信する無線基地局制御装置（ＲＮＣ）とを含んでなるページング信号の抑制システムであって、前記ＲＮＣが、前記無線基地局の使用履歴を取得し、前記使用履歴のうちでデータ有効時点までに使用された前記無線基地局へページング信号を送信することを特徴とする。
【０００８】
本発明のページング信号の抑制システムは、無線端末と、前記無線端末に通信回線を介して接続する無線基地局と、前記無線基地局へページング信号を送信する無線基地局制御装置（ＲＮＣ）とを含んでなるページング信号の抑制システムであって、前記ＲＮＣが、前記無線基地局の使用履歴を取得し、前記使用履歴から時間帯毎、曜日毎、週毎に使用された前記無線基地局の統計データを取り、前記ページング信号の送信時点における時間帯、曜日、週又はこれらの組み合わせに対応する前記統計データにある前記無線基地局へ前記ページング信号を送信することを特徴とする。
【０００９】
本発明のページング信号の抑制方法は、移動体通信システムにおけるページング信号の抑制方法であって、無線基地局の使用履歴を取得し、前記使用履歴のうちでデータ有効時点までに使用された前記無線基地局へページング信号を送信することを特徴とする。
【００１０】
本発明のページング信号の抑制方法は、移動体通信システムにおけるページング信号の抑制方法であって、無線基地局の使用履歴を取得し、前記使用履歴から時間帯毎、曜日毎、週毎に使用された前記無線基地局の統計データを取り、前記ページング信号の送信時点における時間帯、曜日、週又はこれらの組み合わせに対応する前記統計データにある前記無線基地局へ前記ページング信号を送信することを特徴とする。
【００１１】
本発明のページング信号の抑制方法は、移動体通信システムにおけるページング信号の抑制方法であって、無線基地局の使用履歴で加入者が利用する無線端末の位置予想する位置予想ステップと、前記位置予想ステップで位置予想された前記無線基地局の番号へ前記ページング信号を送信するページング信号送信ステップと、を備えることを特徴とする。
【００１２】
本発明のページング信号の抑制方法は、前記位置予想ステップが、位置登録／発信／ハンドオフ成功／着信／切断時に使用された前記無線基地局の使用履歴を取得する取得ステップと、使用された前記無線基地局を特定する特定ステップと、前記加入者毎に存在する無線基地局セーブエリアを算出する算出ステップと、使用した前記無線基地局の番号を含むデータを前記無線基地局セーブエリアに格納する際に同一の前記無線基地局の番号が既に格納済であるか否かを判断する格納判断ステップと、同一の前記無線基地局の番号がある場合は格納しないで、既に格納してある同一の前記無線基地局を使用した時間を更新する更新ステップと、同一の前記無線基地局の番号がない場合は新しいデータを格納すると前記無線基地局セーブエリアがオーバーフローするか否かを判断するオーバーフロー判断ステップと、オーバーフローする場合は、時間的に最も古いデータを削除して前記無線基地局の番号を含むデータを前記無線基地局セーブエリアに格納する第１格納ステップと、オーバーフローしない場合は、前記無線基地局の番号を含むデータを前記無線基地局セーブエリアに格納する第２格納ステップと、を備え、前記ページング信号送信ステップが、前記ページング信号の送信時に前記無線基地局セーブエリアを算出する算出ステップと、格納されているデータに対してデータ有効時点を用いて有効か無効かを判断する有効判断ステップと、有効であれば格納されている前記無線基地局を前記ページング信号の送信対象として選定する第１選定ステップと、無効であればロケーションエリア配下の前記無線基地局を前記ページング信号の送信対象として選定する第２選定ステップと、前記ページング信号の送信対象として選定された前記無線基地局へ前記ページング信号を送信する送信ステップと、を備えることを特徴とする。
【００１３】
本発明のページング信号の抑制方法は、前記特定ステップが、使用した前記無線基地局を特定し、前記無線基地局の使用履歴を時間帯毎、曜日毎、週毎に統計データを取り、前記第１選定ステップが、有効であれば前記ページング信号の送信時点における時間帯、曜日、週又はこれらの組み合わせに対応する前記統計データにある前記無線基地局を前記ページング信号の送信対象にすることを特徴とする。
【００１４】
本発明のページング信号の抑制プログラムは、移動体通信システムにおけるページング信号を送信する無線基地局制御装置（ＲＮＣ）のコンピュータに、無線基地局の使用履歴で加入者が利用する無線端末の位置予想する位置予想ステップと、前記位置予想ステップで位置予想された前記無線基地局へ前記ページング信号を送信するページング信号送信ステップと、を実行させる。
【００１５】
本発明のページング信号の抑制プログラムは、前記位置予想ステップが、位置登録／発信／ハンドオフ成功／着信／切断時に使用された前記無線基地局の使用履歴を取得する取得ステップと、使用された前記無線基地局を特定する特定ステップと、前記加入者毎に存在する無線基地局セーブエリアを算出する算出ステップと、使用した前記無線基地局の番号を含むデータを前記無線基地局セーブエリアに格納する際に同一の前記無線基地局の番号が既に格納済であるか否かを判断する格納判断ステップと、同一の前記無線基地局の番号がある場合は格納しないで、既に格納してある同一の前記無線基地局を使用した時間を更新する更新ステップと、同一の前記無線基地局の番号がない場合は新しいデータを格納すると前記無線基地局セーブエリアがオーバーフローするか否かを判断するオーバーフロー判断ステップと、オーバーフローする場合は、時間的に最も古いデータを削除して前記無線基地局の番号を含むデータを前記無線基地局セーブエリアに格納する第１格納ステップと、オーバーフローしない場合は、前記無線基地局の番号を含むデータを前記無線基地局セーブエリアに格納する第２格納ステップと、を備え、前記ページング信号送信ステップが、前記ページング信号の送信時に前記無線基地局セーブエリアを算出する算出ステップと、格納されているデータに対してデータ有効時点を用いて有効か無効かを判断する有効判断ステップと、有効であれば格納されている前記無線基地局を前記ページング信号の送信対象として選定する第１選定ステップと、無効であればロケーションエリア配下の前記無線基地局を前記ページング信号の送信対象として選定する第２選定ステップと、前記ページング信号の送信対象として選定された前記無線基地局へ前記ページング信号を送信する送信ステップと、を備える。
【００１６】
本発明のページング信号の抑制プログラムは、前記特定ステップが、使用した前記無線基地局を特定し、前記無線基地局の使用履歴を時間帯毎、曜日毎、週毎に統計データを取り、前記第１選定ステップが、有効であれば前記ページング信号の送信時点における時間帯、曜日、週又はこれらの組み合わせに対応する前記統計データにある前記無線基地局を前記ページング信号の送信対象にする。
【００１７】
【発明の実施の形態】
第１の実施形態：次に、本発明の第１の実施形態について図面を参照して詳細に説明する。
【００１８】
呼び出す加入者（ページング信号が送信される無線端末）の位置している無線基地局を予想することができれば、その無線基地局にのみページング信号を送ることで、かなりの負荷を抑制することができる。基本的に人（加入者）の行動範囲は、社会人であれ学生であれ１週間のうち５日（平日）はほぼ固定的なものになっていると考えられる。その為、前日の位置登録／発信／着信などの使用履歴（使用された無線端末に対応する、使用された無線基地局の番号と使用された時間を含む）を覚えることにより、加入者の位置している場所をかなりの高確率で予想できる。ページング信号を送信する場合、以上述べたように高確率で予想される無線基地局のみを送信対象とすることで、かなりのページング信号を抑制でき、システムと無線の双方の負荷軽減が可能となる。
【００１９】
図１は、本発明の実施形態による移動体通信システムの構成を示すブロック図である。図１において、図７と同一の部分の説明は省略する。無線端末４００は通信回線で無線基地局３０１〜３０４、３０５〜３０８、３０９〜３１６に接続され、無線基地局３０１〜３０４、３０５〜３０８、３０９〜３１６はＲＮＣ１００からページング信号を送信される。本発明では、呼び出される無線端末４００の位置しているＬＡ２１０内の無線基地局３０１〜３０８の中で無線基地局３０１〜３０４を予想して、ページング信号が送信されている。このため、従来に比較してページング信号の発信が抑制されている。無線基地局３０１〜３０４を予想し、ページング信号を送信することは、ＲＮＣ１００にある制御装置（コンピュータを含む）が制御し、図２、図４に示すフローチャートの制御などを実行する。
【００２０】
次に、本発明の実施の形態の動作について図面を参照して説明する。
【００２１】
図２は、加入者の位置予想のフローチャート（位置予想ステップ）である。ある無線端末４００の位置登録／発信／ハンドオフ成功／着信／切断時に使用された無線基地局の使用履歴を取得するための処理を起動する（ステップＳ２０１）。次に、無線端末４００の位置登録／発信／ハンドオフ成功／着信／切断時に使用された無線基地局（例えば、図１においては、無線基地局３０１〜３０４）を特定する（ステップＳ２０２）。
【００２２】
無線端末４００を利用する加入者毎に存在する無線基地局セーブエリア（無線基地局情報エリア）を算出する（ステップＳ２０３）。使用した無線基地局の番号（無線基地局番号）を含むデータを無線基地局セーブエリアに格納する際に同一の無線基地局番号が既に格納済であるかを判断する（ステップＳ２０４）。ここで、データとは、加入者識別番号毎に位置登録／発信／ハンドオフ成功／着信／切断時の時間と、その時間に使用された無線基地局番号とを含む。格納する際に、同一の無線基地局番号がある場合（ステップＳ２０４のＹＥＳ）は格納しないで、格納してある同一の無線基地局を使用した時間（年、月、日、時、分、秒などを使用）のみを更新する（ステップＳ２０５）。また、格納する際に、同一の無線基地局番号がない場合（ステップＳ２０４のＮＯ）は新しいデータを格納すると無線基地局セーブエリアがオーバーフローするか否かを判断する（ステップＳ２０６）。オーバーフローする場合（ステップＳ２０６のＹＥＳ）は、時間的に最も古いデータ（最古データ）を削除し（ステップＳ２０７）、無線基地局番号を含むデータを無線基地局セーブエリアに格納する（ステップＳ２０８）。オーバーフローしない場合（ステップＳ２０６のＮＯ）は、無線基地局番号を含むデータを無線基地局セーブエリアに格納する（ステップＳ２０８）。
【００２３】
図３は、この際に用いる無線基地局の番号を格納するアドレスリンケージであり、無線基地局番号等を含むデータをＲＮＣ１００の記憶装置上で管理する。
【００２４】
図４は、実際のページング信号送信時のフローチャート（ページング信号送信ステップ）である。ページング信号送信時、送信対象となる無線基地局を算出するため、図２の加入者の位置予想で設定された加入者毎（加入者単位）に存在する無線基地局セーブエリアを算出する（ステップＳ４０１）。
【００２５】
格納されているデータに対して、データ有効時点を用いて有効性を判断する（ステップＳ４０２）。ここで有効性とは、無線基地局の使用履歴のうち時間的に新しいデータを有効とし、時間的に古いデータを無効とすることであり、データ有効時点を基準に判断する。例えば、データ有効時点が前日の１０時００分に定められていれば、ページング信号の送信時点（送信現時点）から遡った前日の１０時００分までのデータは有効となり、それ以前のデータは無効となる。データ有効時点が一週間前の１０時００分であれば、ページング信号送信時点から遡った一週間前の１０時００分までのデータは有効となり、それ以前のデータは無効となる。データ有効時点は、年、月、日、時、分、秒などを用いて適宜、定められる。言い換えれば、ページング信号送信時点から遡ったデータ有効時点までの使用履歴が有効となる。
【００２６】
有効性判断の結果、有効であれば（ステップＳ４０２のＹＥＳ）、格納されている無線基地局（例えば、図１の無線基地局３０１〜３０４）をページング信号の送信対象として選定する（ステップＳ４０３）。もし、データが無効であれば（ステップＳ４０２のＮＯ）、今まで通りＬＡ配下の全無線基地局をページング信号の送信対象として選定する（ステップＳ４０４）。次いで、ページング信号送信対象の無線基地局へページング信号送信を行う（ステップＳ４０５）。
【００２７】
第２の実施形態：第２の実施形態は、無線基地局の使用履歴を曜日毎／週毎で統計を取る点において、第１の実施形態とは異なっている。移動体通信システムの構成を示すブロック図は図１と同じであるが、加入者の位置予想のフローチャート及び実際のページング信号送信時のフローチャートが第１の実地形態と異なる。
【００２８】
図５は、加入者の位置予想のフローチャート（位置予想ステップ）である。図２との相違点は、ステップＳ５０２において、使用した無線基地局を特定し、無線基地局の使用履歴を時間帯毎／曜日毎／週毎に統計データを取ることである。時間帯毎／曜日毎／週毎の統計データによって、加入者の位置する無線基地局をかなりの高確率で予想することができる。
【００２９】
例えば、月曜日は無線基地局３０１、３０２、火曜日は無線基地局３０１、３０２、３０３、水曜日は無線基地局３０３、３０４、３０５、３０６、木曜日は無線基地局３０３、３０４、３０５、金曜日は無線基地局３０４、３０５、３０６、３０７、土曜日は無線基地局３０６、３０７、３０８、日曜日は無線基地局３０７、３０８というように統計結果を表す。また、第一週は、無線基地局３０１、３０２、第二週は無線基地局３０３、３０４、３０５、第三週は無線基地局３０４、３０５、３０６、３０７、第四週は３０６、３０７、３０８というように統計結果を表す。加入者毎のメモリエリア確保や統計算出処理で負荷が上がることはあるものの、加入者の位置する無線基地局をかなりの高確率で予想することができることになる。
【００３０】
図６は、実際のページング信号送信時のフローチャート（ページング信号送信ステップ）である。図４との相違点は、ステップＳ６０３において、ページング信号を送信する時点（送信時点）の時間帯／曜日／週を確認し対応する格納済の無線基地局をページング信号の送信対象にしていることである。送信時点が月曜日であれば、格納されている無線基地局のうちで月曜日に統計データとして算出されている無線基地局がページング信号の送信対象となる。
【００３１】
９時００分〜１０時００分などの時間帯毎、午前毎／午後毎及び昼間毎／夜間毎などの時間帯毎、曜日毎、週毎の他に月毎に統計データを取って利用することも効果的である。さらに、時間帯毎（９時００分〜１０時００分など）、午前毎／午後毎、昼間毎／夜間毎、曜日毎、週毎、月毎の統計データを組み合わせて、ページング信号の送信対象無線基地局を予想することも効果的である。つまり、ページング信号を送信しようとする送信時点が月曜日の９時００分〜１０時００分の時間帯であれば、統計データにある曜日と時間帯を組み合わせて、月曜日の９時００分〜１０時００分の時間帯に使用履歴のある無線基地局がページング信号の送信対象となる。
【００３２】
【発明の効果】
第１の効果は、呼び出す加入者（移動局）の位置している無線基地局を予想して、予想した無線基地局にのみページング信号を送ることによって、ハードウエア構成を変更することやＬＡの範囲を狭くすることなしに、ページング信号の送信を抑制することである。
【００３３】
第２の効果は、ページング信号の送信を抑制することによって、無線リソースの輻輳とＲＮＣ（交換機）自身の輻輳を軽減することである。
【図面の簡単な説明】
【図１】本発明の第１の実施形態による移動体通信システムの構成を示すブロック図である。
【図２】加入者の位置予想のフローチャートである。
【図３】テーブルアドレスリンケージである。
【図４】実際のページング信号送信時のフローチャートである。
【図５】本発明の第２の実施形態による加入者の位置予想のフローチャートである。
【図６】本発明の第２の実施形態による実際のページング信号送信時のフローチャートである。
【図７】従来例による移動体通信システムの構成を示すブロック図である。
【符号の説明】
１００    ＲＮＣ
２１０、２２０    ＬＡ
３０１〜３０８    無線基地局
３０９〜３１６    無線基地局
４００    無線端末
【図１】
2004193950.tif 000003
【図２】
2004193950.tif 000004
【図３】
2004193950.tif 000005
【図４】
2004193950.tif 000006
【図５】
2004193950.tif 000007
【図６】
2004193950.tif 000008
【図７】
2004193950.tif 000009